(57)【要約】【課題】回路基板にムーブメントホルダーのフック逃がし用の切り欠きを追加することなく、回路基板の部品実装エリアを確保可能とし、かつモジュールサイズを大きくすることなく構成可能で、２次コイルの固定と分解を容易にすることにより、組立性とメンテナンス性を向上させる。【解決手段】回路基板３は、ムーブメントホルダー２の外向きフック２Ａの位置に合わせて切り欠き形状があり、２次コイル４は、ムーブメントホルダー２に内向きに形成されたフック２Ａにより固定され、このムーブメントホルダー２のフック２Ａには、同じ位置で背中合わせに外向きにフック２Ｂが構成され、２次コイル４と２次電池５は電池固定板６により、ムーブメントホルダー２に形成された外向きのフック２Ｂによってムーブメントホルダー２に固定される【選択図】        図１
2010096679.tif 000002
【特許請求の範囲】
【請求項１】
時計を運針するためのムーブメントと、前記ムーブメントを固定するためのムーブメントホルダーと、回路基板と、２次コイルと、充電可能な２次電池と、電池固定板と、を有し、
前記回路基板は、前記ムーブメントと同一平面にあり、その一部は前記ムーブメントに固定され、時計を駆動するための時計駆動回路と、電磁誘導により２次電池に充電するための充電回路と、を備え、
前記回路基板は、前記ムーブメントホルダーの外向きフックの位置に合わせて切り欠き形状があり、前記２次コイルは、前記ムーブメントホルダーに内向きに形成されたフックにより固定され、このムーブメントホルダーのフックには、同じ位置で背中合わせに外向きにフックが構成され、前記２次コイルと前記２次電池は前記電池固定板により、前記ムーブメントホルダーに形成された前記外向きのフックによって前記ムーブメントホルダーに固定されることを特徴とする充電式アナログ腕時計。
【請求項２】
ＬＥＤ光による照明機能を備えることを特徴とする請求項１に記載の充電式アナログ腕時計。
【請求項３】
ストップウォッチ、アラーム、タイマー、バイブレーション、などの計時機能、および時刻報知機能を備えることを特徴とする請求項１または２に記載の充電式アナログ腕時計。
【発明の詳細な説明】
【技術分野】
【０００１】
本発明は、たとえば電磁誘導方式の充電による充電式アナログ腕時計に関するものである。
【背景技術】
【０００２】
従来、アナログ腕時計において電磁誘導充電方式のＬＥＤ照明機能のものが知られている（たとえば、特許文献１参照）。図４に従来のＬＥＤ照明付アナログ充電式時計の構成を示す。図４の構成では、ムーブメントホルダー２２にムーブメント１１を固定し、さらにそのムーブメント１１に回路基板１３を固定し、回路基板１３に２次コイル１４を固定し、２次電池１５を電池固定板１６で固定する。また、電池固定板１６の外側はムーブメントホルダー２２のフック２Ｂで固定される。
【０００３】
【特許文献１】特開２００４−５３３４２号公報
【発明の開示】
【発明が解決しようとする課題】
【０００４】
しかしながら、上記に示されるような従来のＬＥＤ照明付アナログ電磁誘導充電式時計にあっては、一枚の回路基板１３に、時計駆動回路１３Ａ、充電回路１３Ｂ、ＬＥＤ駆動回路１３Ｃ、照明用ＬＥＤ１３Ｄを実装するために回路構成が複雑になり、回路基板１３のスペースをできるだけ広く取りたい場合、時計内部は、ムーブメント１１のメカ部品が複雑に配置されスペースが取りにくいという問題点があった。
【０００５】
また、２次コイル１４を固定するための部材を、ムーブメントホルダー２２に取り付けるためには、回路基板１３に、２次コイル１４を固定するための部材を逃がすためのスペースを空けなくてはならない。しかし、切り欠きを追加するためには、回路基板１３のサイズを大きくする必要があり、その結果モジュール全体のサイズが大きくなってしまうことになってしまう。したがって、このスペースが取れないため、２次コイル１４を仮固定するのに、回路基板１３に両面テープ１７で貼り付けて固定していた。このため組立時に作業効率が低下していた。さらに、メンテナンス時も両面テープ１７を剥がすときに、回路基板１３を壊さないように注意する必要があり、また再度組付けるときに両面テープ１７を張りなおすなどの作業が必要であった。
【０００６】
本発明は、上記に鑑みてなされたものであって、回路基板にムーブメントホルダーのフック逃がし用の切り欠きを追加することなく、回路基板の部品実装エリアを確保可能とし、かつモジュールサイズを大きくすることなく構成可能で、２次コイルの固定と分解を容易にすることにより、組立性とメンテナンス性を向上させることを目的とする。
【課題を解決するための手段】
【０００７】
上述した課題を解決し、目的を達成するために、請求項１にかかる発明は、時計を運針するためのムーブメントと、前記ムーブメントを固定するためのムーブメントホルダーと、回路基板と、２次コイルと、充電可能な２次電池と、電池固定板と、を有し、前記回路基板は、前記ムーブメントと同一平面にあり、その一部は前記ムーブメントに固定され、時計を駆動するための時計駆動回路と、電磁誘導により２次電池に充電するための充電回路と、を備え、前記回路基板は、前記ムーブメントホルダーの外向きフックの位置に合わせて切り欠き形状があり、前記２次コイルは、前記ムーブメントホルダーに内向きに形成されたフックにより固定され、このムーブメントホルダーのフックには、同じ位置で背中合わせに外向きにフックが構成され、前記２次コイルと前記２次電池は前記電池固定板により、前記ムーブメントホルダーに形成された前記外向きのフックによって前記ムーブメントホルダーに固定されることを特徴とする。
【０００８】
また、請求項２にかかる発明は、請求項１において、ＬＥＤ光による照明機能を備えることを特徴とする。
【０００９】
また、請求項２にかかる発明は、請求項１または２において、ストップウォッチ、アラーム、タイマー、バイブレーション、などの計時機能、および時刻報知機能を備えることを特徴とする。
【発明の効果】
【００１０】
本発明にかかる充電式アナログ腕時計は、２次コイルを仮固定するための、ムーブメントホルダーのフックと、電池固定板をムーブメントホルダーに固定するためのフックを、同じ位置に背中合わせに構成することで、回路基板にムーブメントホルダーのフック逃がしの切り欠きを追加することなく、回路基板の部品実装エリアを確保することができ、またモジュールサイズを大きくすることなく構成でき、２次コイルの固定と分解を容易にし、組立性とメンテナンス性が向上するという効果を奏する。
【発明を実施するための最良の形態】
【００１１】
以下に添付図面を参照して、この発明にかかる充電式アナログ腕時計の最良な実施の形態を詳細に説明する。
【００１２】
（実施の形態）
図１は、この実施の形態にかかるＬＥＤ照明付アナログ充電式時計の構成を示す説明図である。この図１において、符号１はムーブメント、符号２はムーブメントホルダー、符号２Ａはフック、符号２Ｂはフック、符号３は回路基板、符号３Ａは時計駆動回路、符号３Ｂは充電回路、符号３ＣはＬＥＤ駆動回路、符号３Ｄは照明用ＬＥＤ、符号４は充電用２次コイル、符号５は２次電池、符号６は電池固定板である。なお、この図１では、ムーブメント１の上部に取り付けられる時針、分針、秒針によるアナログ時計の構成や、リューズ、外部スイッチ、風防ガラスなどを省略してある。
【００１３】
図１に示すように、このＬＥＤ照明付アナログ充電式時計は、時計を運針するためのムーブメント１と、ムーブメント１を固定するためのムーブメントホルダー２と、回路基板３と、２次コイル４と、充電可能な２次電池５と、電池固定板６によって構成されムーブメント１はムーブメントホルダー２に固定され、回路基板３は、ムーブメント１と同一平面にあり、その一部はムーブメント１に固定され、時計を駆動するための回路３Ａと、電磁誘導により２次電池５に充電するための充電回路３Ｂを備える。
【００１４】
図２は図１における回路基板３の形状を示す説明図であり、図３は図１におけるムーブメントホルダー２の形状を示す説明図である。これらの図に示すように、ムーブメントホルダー２にムーブメント１を固定し、さらにそのムーブメント１に回路基板３を固定し、２次コイル４をムーブメントホルダー２に３箇所のフック２Ａで仮固定し、さらに２次電池５と充電用２次コイル４を電池固定板６で固定する構造で、ムーブメント１はムーブメントホルダー２に形成されたフックにより固定され、回路基板３は、時計回路３Ａ、充電回路３Ｂ、ＬＥＤ点灯回路３Ｃ、照明用ＬＥＤ ３Ｄが実装され、ムーブメントホルダー２のフック２Ａ、２Ｂの位置に合わせて切り欠き形状３Ｅ（図２参照）があり、前記ムーブメント１に固定される。
【００１５】
充電用２次コイル４は、２次電池５が同一平面でかつその中に収まるように、円筒状に形状が構成され、ムーブメントホルダー２に内向きに形成された３ヶ所のフック２Ａにより仮固定される。充電用２次コイル４を仮固定するための、ムーブメントホルダーの３箇所のフック２Ａには、充電用２次コイル４と２次電池５を固定するための電池固定板６を固定するためのムーブメントホルダー２のフック２Ｂが、同じ位置で背中合わせに外向きに構成され、充電用２次コイル４と２次電池５は電池固定板６により、電池固定板６とムーブメントホルダー２に形成された前記３箇所の外向きフック２Ｂによってムーブメントホルダー２に固定される。
【００１６】
このように、ムーブメントホルダー２のフック２Ａの位置に合わせて切り欠き形状３Ｅが３箇所設けられ（図２参照）、充電用２次コイル４は、ムーブメントホルダー２に内向きに形成されたフック２Ａにより固定され、このムーブメントホルダー２のフック２Ａには、同じ位置で背中合わせに外向きにフック２Ｂが構成され、充電用２次コイル４と２次電池５は電池固定板６により、ムーブメントホルダー２に形成された外向きのフック２Ｂによってムーブメントホルダー２に固定される。
【００１７】
すなわち、ムーブメントホルダー２に形成されたフック２Ａ、２Ｂによって、充電用２次コイル４がフック２Ａにより固定され、充電用２次コイル４と２次電池５は電池固定板６により、ムーブメントホルダー２に形成された外向きのフック２Ｂによってムーブメントホルダー２に固定されるように構成したので、従来のように充電用２次コイルを仮固定するのに、回路基板に両面テープで貼り付けて固定していたのに対し、この実施の形態では、フックによる組立／分解が可能となるため、組立時に作業効率が低下していた従来の問題点を解消することができる。さらに、従来は先に述べたように、メンテナンス時も両面テープを剥がすときに、回路基板を壊さないように注意する必要であったり、また再度組付けるときに両面テープを張りなおすなどの作業が必要であったが、上記フックによる固定のためこのような煩雑な作業が不要となる。
【００１８】
したがって、上述した実施の形態によれば、充電用２次コイル４を仮固定するための、ムーブメントホルダー２のフック２Ａと、電池固定板６をムーブメントホルダー２に固定するためのフック２Ｂを、同じ位置に背中合わせに構成することで、回路基板３にムーブメントホルダー２のフック逃がしの切り欠きを追加することなく、回路基板３の部品実装エリアを確保することができ、またモジュールサイズを大きくすることなく構成でき、充電用２次コイル４の固定と分解を容易にし、組立性とメンテナンス性を改善できる構成が実現する。
【００１９】
また、上述のＬＥＤ照明付充電式時計は、照明用ＬＥＤ３Ｄによる照明機能を備える。照明用ＬＥＤ３Ｄを不図示のスイッチを押下することにより、照明用ＬＥＤ３Ｄが点灯し、その光が、文字板（不図示）の開口部を通過して外部を照明する。上記スイッチをさらに押下すると照明用ＬＥＤ３Ｄが消灯する。なお、このスイッチを押下して照明用ＬＥＤ３Ｄを消灯しなくてもスイッチ操作後に一定時間経過した場合に自動的に消灯するようにしてもよい。このように、たとえば暗いところで鍵穴などが見えにくいときなど、明かりが必要なところでは、外部操作によりＬＥＤ駆動回路３Ｃを働かせて点灯することができる。
【００２０】
また、上述のＬＥＤ照明付充電式時計は、ストップウォッチ、アラーム、タイマー、バイブレーション、などの計時機能、および時刻報知機能を備える。スイッチ（不図示）の外部操作にしたがって、ストップウォッチ、アラーム、タイマーなどの付加時計機能を働かせるＬＥＤ駆動態様を備えるので、アナログ表示とともにデジタル表示を行なうことができる腕時計において、さらに機能アップして付加機能を高めることができる。
【００２１】
ところで、この例における腕時計では、使用により二次電池５の電池容量が低下したときは、不図示の充電器上に載せて電磁誘導方式を用いて充電する。つまり、ＡＣコードを介して供給されるＡＣ電流を流して充電器の一次コイルで交流磁界を発生させ、この交流磁界によりこの腕時計の二次コイル３２に交流電流を発生させ、整流回路で整流して直流電源として二次電池３０を充電する。
【００２２】
電源として二次電池５を使用するので、ＬＥＤを多用することにより電池がなくなっても電池交換をすることなく充電するだけでよいので、電池寿命を気にする必要なく、かつ電池交換の煩わしさや費用を気にすることなく、照明機能を存分に使うことができる。これにより、液晶パネルに比べて消費電力の大きいＬＥＤを用いてデジタル表示を行なうことによる欠点を解消することができる。
【００２３】
なお、ここでは、電磁誘導方式を用いて充電回路の二次電池５を充電したが、二次電池５を太陽電池や、直接電源端子を接続して充電することにしてもよい。充電用２次コイル４を備え、電磁誘導方式を用いて二次電池５を充電可能とすると、デザイン上の制約を受けないとともに、防水構造を複雑にすることなく、簡単かつ確実な充電が可能となる。
【産業上の利用可能性】
【００２４】
以上のように、本発明にかかる充電式アナログ腕時計は、時針・分針などの針で文字板上の時字を指し示して時刻を表示するアナログ腕時計に有用であり、特に、照明光源としてＬＥＤを備えるＬＥＤ表示機能を有する電磁誘電充電式のアナログ腕時計などに適している。
【図面の簡単な説明】
【００２５】
【図１】この実施の形態にかかるＬＥＤ照明付アナログ充電式時計の構成を示す説明図である。
【図２】図１における回路基板の形状を示す説明図である。
【図３】図３は図１におけるムーブメントホルダーの形状を示す説明図である。
【図４】従来におけるＬＥＤ照明付アナログ充電式時計の構成を示す説明図である。
【符号の説明】
【００２６】
１  ムーブメント
２  ムーブメントホルダー
２Ａ，２Ｂ  フック
３  回路基板
３Ｂ  充電回路
３Ｄ  照明用ＬＥＤ
３Ｅ  切り欠き形状
４  充電用２次コイル
５  ２次電池
６  電池固定板
【図１】
2010096679.tif 000003
【図２】
2010096679.tif 000004
【図３】
2010096679.tif 000005
【図４】
2010096679.tif 000006